(57)【要約】【課題】床としての耐荷重性や強度を高く維持することができるとともに、立体的にきらめき感や輝き感を有する、装飾性に優れた装飾床材を提供する。【解決手段】装飾性に優れた床材であって、床基材１に下地塗装層２、中間塗装層３、トップコート塗装層４をこの順に設けてなるとともに、該中間塗装層３には高輝性鱗片状物質５が含まれてなる装飾床材Ａ。好ましくは、上記高輝性鱗片状物質５が酸化チタンで被覆されてなるガラスフレークとされ、上記トップコート塗装層４が硬化性透明塗料からなるものとされる。【選択図】図２
2008267047.tif 000002
【特許請求の範囲】
【請求項１】
装飾性に優れた床材であって、床基材に下地塗装層、中間塗装層、トップコート塗装層をこの順に設けてなるとともに、該中間塗装層には高輝性鱗片状物質が含まれてなる装飾床材。
【請求項２】
上記高輝性鱗片状物質が酸化チタンで被覆されたガラスフレークである請求項１に記載の装飾床材。
【請求項３】
上記トップコート塗装層が硬化性透明樹脂塗料からなる請求項１に記載の装飾床材。
【発明の詳細な説明】
【技術分野】
【０００１】
本発明は、床材に関する。さらに詳しくは、光が当たったときや、見る角度によって輝き感やきらめき感が得られる装飾床材に関する。
【背景技術】
【０００２】
従来、各種の機能を持たせた床材は公知であり、例えば、下記特許文献１には、床としての耐荷重性や強度を高く維持しながら、高い防音性能を有する防音床が開示されている。上記防音床は、木質、金属、樹脂等からなる相対する拘束層の間に拘束層と同等以上の弾性率を持つ制振材を挟み込んだパネルを表面材とし、その下部に、弾性材、中間材および弾性下地材を順次密着積層してなるものである。
【０００３】
そして弾性材によって衝撃力の緩和と適度な柔らかさを確保し、衝撃により誘発される弾性材以外の板状材の曲げ固有振動を制振材により吸収するため、床の適度な柔らかさと床衝撃音の低減を実現できる効果があると記載されている。また、上記防音床を構成する制振材は、フレーク状の粉体を、合成樹脂やゴム等でバインドすることにより成型して得られたものであり、このフレーク状の粉体としてマイカ、モンモリロナイト、バーミキュライト、ガラスフレーク等が例示されている。
【特許文献１】特開平５−２４８０７５号公報（第１〜３頁、第１図）
【発明の開示】
【発明が解決しようとする課題】
【０００４】
一方、床材表面を種々のデザインで模様付けをし、きらめき感や輝き感を床材に付与した装飾性のある床材も公知である。しかしながら、表面の絵付けにより、きらめき感や輝き感が表現された床材は立体感や材質感を視覚的に訴えているため、装飾性に乏しいものとなる。
【０００５】
本発明はこのような問題を解決して、床としての耐荷重性や強度を維持しながら、立体的に浮き出るような、きらめき感や輝き感を有する、装飾性に優れた装飾床材を提供することを、その課題とする。
【課題を解決するための手段】
【０００６】
上記課題を解決するために、本発明においては、つぎのような技術的手段を講じている。すなわち、請求項１に記載の発明によれば、装飾性に優れた床材であって、床基材に下地塗装層、中間塗装層、トップコート塗装層をこの順に設けてなるとともに、該中間塗装層には高輝性鱗片状物質が含まれてなる装飾床材が提供される。
【０００７】
床基材としては、床板としての必要な厚み、および強度を与えるものであればとくに限定されることなく、板材、合板、パーティクルボード等の木質基材、石膏ボード、石膏スラグボード等の石膏系基材、パルプセメント板等の繊維セメント板、ＧＲＣおよびコンクリート、ならびに上記各基材の複合体を用いることができる。
【０００８】
高輝性鱗片状物質としては、マイカ、ガラスフレーク、酸化チタンで被覆されたガラスフレーク、鱗片状パール、鱗片状アルミ等があげられる。
【０００９】
請求項２に記載の装飾床材は、請求項１に記載の発明に加えて、上記高輝性鱗片状物質が酸化チタンで被覆されたガラスフレークとされる。
【００１０】
請求項３に記載の装飾床材は、請求項１に記載の発明に加えて、上記トップコート塗装層が硬化性透明樹脂塗料からなるものとされる。トップコート塗装に用いる硬化性透明塗料としては、加熱または紫外線照射により硬化する樹脂塗料が用いられ、メラミン樹脂系、ポリエステル樹脂系、ウレタン樹脂系、アクリル樹脂系の各種硬化性透明樹脂塗料をあげることができる。これらに中間塗装層が透かして見える程度に着色し、硬化性着色透明樹脂塗料として用いてもよい。
【発明の効果】
【００１１】
請求項１に記載の発明にかかる装飾床材は上記のとおりであり、床基材に下地塗装層、中間塗装層、トップコート塗装層がこの順に設層され、該中間塗装層には高輝性鱗片状物質が含まれ、光が当たったときに中間塗装層から光が立体的に反射するため、見る角度によってきらめき、床面が輝いて、床面自体が装飾効果を発揮する。
【００１２】
請求項２に記載の装飾床材は上記のとおりであり、請求項１の装飾床材の有する効果に加え、上記高輝性鱗片状物質を酸化チタンで被覆されたガラスフレークとすることにより、光が当たると金属の光沢感が表出され、また、視点が変わると角度によって金属的なきらめきや輝きが変化するため、さらに装飾性を向上させることができる。
【００１３】
請求項３に記載の装飾床材は上記のとおりであり、請求項１の装飾床材の有する効果に加え、上記トップコート塗装層を硬化性透明樹脂塗料からなるものとすることにより、表面に光沢を与え、硬い塗膜により高輝性鱗片状物質を含む中間塗装層を保護し、また、表面に汚れが付着することを防ぐ。
【発明を実施するための最良の形態】
【００１４】
以下、本発明の実施形態について図面を参照して詳細に説明する。図１は、本発明にかかる装飾床材Ａの構成を示す断面図である。図１に示すように、装飾床材Ａは、床基材１に下地塗装層２、中間塗装層３、トップコート塗装層４をこの順に設けてなり、上記中間塗装層３には高輝性鱗片状物質５として酸化チタンで被覆されたガラスフレーク（以下チタンコートガラスフレークという）が含まれている。
【００１５】
本実施形態においては、上記床基材１として、例えば、合板、集成材、中密度繊維板（ＭＤＦ）、パーティクルボード等木質床材が用いられ、これらの木質床材に、以下に述べる方法により下地塗装層２、高輝性鱗片状物質５を含む中間塗装層３、トップコート塗装層４を設層して本発明にかかる装飾床材Ａとする。
【００１６】
まず、上記床基材１の上に、下地塗装を行う。下地塗装に用いられる塗料としては、ベヒクルに必要に応じて、顔料、染料等の着色剤、体質顔料、溶剤、安定剤、可塑剤、触媒、硬化剤を適宜混合したものを塗布する。ここで、ベヒクルとしては、二液硬化性樹脂が床基材１への密着性の点から好ましく用いられ、本実施形態においては、ウレタン硬化型ポリエステル樹脂とセルロース誘導体の混合物を用いる。上記下地塗装を行って形成された下地塗装層２に、予め、バックラウンドとなる絵柄を描いてもよい。
【００１７】
上記下地塗装用の塗料は、ローラ、刷毛、スプレイ等の方法により、床基材１の上に塗布される。室内での作業を考慮すると、塗装作業性、塗着性の観点から、ローラまたは刷毛が用いられる。
【００１８】
ついで、透明なベヒクルに上記したチタンコートガラスフレークを混合して下地塗装層２の上に塗布し、硬化させて中間塗装層３を形成する。透明なベヒクルとしては、ウレタン硬化型不飽和ポリエステル樹脂とセルロース誘導体の混合物からなるものが用いられる。セルロース誘導体としては、エチルセルロース、硝酸セルロース、酢酸セルロース、エチルヒドロキシセルロース、セルロースアセテートプロピオネート等を用い、また、ウレタン硬化型不飽和ポリエステル樹脂の硬化剤イソシアネートとしては、２価以上の脂肪族または、芳香族イソシアネートが使用可能であるが、熱変色防止、耐候性等の点から脂肪族イソシアネートを用いることが好ましい。具体的にはトリレンジイソシアネート、キシレンジイソシアネート、４、４−ジフェニルメタンジイソシアネート等を用いる。
【００１９】
上記ウレタン硬化型不飽和ポリエステル樹脂とセルロース誘導体の混合物からなる透明なベヒクルが液体状態を保つ間にチタンコートガラスフレークを混ぜ入れ、ベヒクル中にチタンコートガラスフレークが均一に混合するように掻き混ぜる。上記チタンコートガラスフレークが透明なベヒクル中に均一に拡散した後、下地塗装層２の上に塗布し、室温または加熱硬化させて中間塗装層３とする。
【００２０】
最終工程として上記チタンコートガラスフレークを含む中間塗装層３の上にトップコートを施す。トップコート用塗料としては、メラミン樹脂系、ポリエステル樹脂系、ウレタン樹脂系、アクリル樹脂系の硬化性透明塗料が用いられ、これらの硬化性樹脂塗料を加熱または紫外線照射により硬化させ、上記中間塗装層３の上に透明なトップコート塗装層４を設ける。
【００２１】
図２はこのようにして得られた本発明にかかる装飾床材Ａを示す部分断面説明図である。図２に模式的に示すように、上記装飾床材Ａに光が当たると中間塗装層３に含まれる高輝性鱗片状物質５によって反射され、床材の内部から立体的にきらきらと輝き、また、見る角度によってきらめき感が違い、異なった色調に見える。このようにして床面全体が輝き、きらめいて床面の装飾性を向上させることができる。さらに、床基材１上に下地塗装層２、中間塗装層３、トップコート塗装層４を設層されているため、床としての耐荷重性や強度を高く維持することができる。
【００２２】
なお、本実施形態においては、高輝性鱗片状物質５がチタンコートガラスフレークの場合について述べたが、これに限られず、単なるガラスフレーク、マイカ等であっても上記と同様な効果を得ることができる。このように、本発明は設計変更自在であり、特許請求の範囲を逸脱しない限り、本発明の技術的範囲に属する。
【図面の簡単な説明】
【００２３】
【図１】本発明にかかる装飾床材の構成を示す断面図である。
【図２】本発明にかかる装飾床材を示す部分断面説明図である。
【符号の説明】
【００２４】
Ａ          本発明にかかる装飾床材。
１          床基材
２          下地塗装層
３          中間塗装層
４          トップコート塗装層
５          高輝性鱗片状物質
【図１】
2008267047.tif 000003
【図２】
2008267047.tif 000004